(57)【要約】【課題】柔軟な表示形態をとることが可能な表示制御装置を提供する。【解決手段】画像一覧画面表示手段１１は、画像一覧画面を生成し、その先頭部分を表示装置２０の画面上に表示させる。画面スクロール手段１２は、画像一覧画面を先頭部から末尾部へ向ってスクロールさせる。スクロール制御手段１３は、予め指定された画像を含む画面を表示させた場合にスクロール速度を遅くする又はスクロールを停止させる。【選択図】図１
2006236286.tif 000002
【特許請求の範囲】
【請求項１】
複数の画像を含む画面を表示させる画面表示手段と、
前記画面を所定の速度でスクロールさせる画面スクロール手段と、
前記スクロール中に、予め指定された画像である指定画像の少なくとも一部を含む画面が表示された場合に、前記スクロールの速度を前記所定の速度よりも遅くする又は前記スクロールを停止させる制御を行うスクロール制御手段とを備える表示制御装置。
【請求項２】
請求項１記載の表示制御装置であって、
前記画面スクロール手段は、手動操作に応じて前記画面をスクロールさせる表示制御装置。
【請求項３】
請求項１記載の表示制御装置であって、
前記画面スクロール手段は、前記画面を自動的にスクロールさせる表示制御装置。
【請求項４】
コンピュータを、請求項１〜３のいずれか記載の表示制御装置の各手段として機能させるための表示制御プログラム。
【発明の詳細な説明】
【技術分野】
【０００１】
本発明は、表示装置の表示制御を行う表示制御装置に関する。
【背景技術】
【０００２】
従来、大量の画像データから所望の画像データを検索する装置がある。このような装置は、例えば、図５（ａ）に示すように、大量の画像データを画面スクロールすることで確認できるような状態にし、ユーザにより所望の画像データが指定されると、図５（ｂ）に示すように、その画像データが表示される画面にジャンプして、所望の画像データを確認することができるというものである。
【０００３】
また、自分の気に入った画像データにお気に入り符号を付加することで、ジャンプ再生モードが選択されると、お気に入り符号の付加された画像データのみを再生対象とする画像処理装置がある（特許文献１参照）。
【０００４】
【特許文献１】特開２００４−１５３４２６号公報
【発明の開示】
【発明が解決しようとする課題】
【０００５】
上記のような装置では、ユーザによって指定された画像以外はスキップされてしまうが、そのスキップされる画像もユーザに見てもらいたいという要望が存在する。例えば、ウェブサイト上でキャラクタ画像等を販売するのに上記装置を利用した場合である。この場合、画面に表示される画像はキャラクタ画像となる。このようなサービスを考えたとき、上述した方法で画面をジャンプさせてしまうと、ユーザは自分の必要なキャラクタ画像だけを見ることになるが、販売側としては、ユーザが欲しいと思っているキャラクタ画像以外の画像（ジャンプされてしまった画像）も、そのユーザに見せたいはずである。ユーザに他の画像も見せることができれば、他の画像を買ってもらえる可能性があるからである。
【０００６】
また、例えば多数の写真画像の中からお気に入りのものを見る際に、他の写真を流し見しながらお気に入りの写真はじっくりと見たいという場合もある。また、多数の商品のカタログ画像を見る際にも、各商品の画像を流し見しつつ、興味のある商品の画像はじっくり見たいという場合もある。
【０００７】
本発明は上記事情を鑑みてなされたもので、柔軟な表示形態をとることが可能な表示制御装置を提供することを目的とする。
【課題を解決するための手段】
【０００８】
本発明の表示制御装置は、複数の画像を含む画面を表示させる画面表示手段と、前記画面を所定の速度でスクロールさせる画面スクロール手段と、前記スクロール中に、予め指定された画像である指定画像の少なくとも一部を含む画面が表示された場合に、前記スクロールの速度を前記所定の速度よりも遅くする又は前記スクロールを停止させる制御を行うスクロール制御手段とを備える。
【０００９】
この構成により、柔軟な表示形態をとることが可能となる。
【００１０】
本発明の表示制御装置は、前記画面スクロール手段が、手動操作に応じて前記画面をスクロールさせる。
【００１１】
本発明の表示制御装置は、前記画面スクロール手段が、前記画面を自動的にスクロールさせる。
【００１２】
本発明の表示制御プログラムは、コンピュータを、前記表示制御装置の各手段として機能させるためのプログラムである。
【発明の効果】
【００１３】
本発明によれば、柔軟な表示形態をとることが可能な表示制御装置を提供することができる。
【発明を実施するための最良の形態】
【００１４】
図１は、本発明の実施形態を説明するためのシステムの概略構成を示す図である。
図１に示すシステムは、ウェブサイトＳにインターネットＮを介して接続されたＰＣ（パーソナルコンピュータ）１と、ＰＣ１に接続されたＣＲＴ表示装置や液晶表示装置等の表示装置２０とを備える。
【００１５】
ＰＣ１は、ＣＰＵ部２と、ハードディスク装置等の記憶装置３と、マウスやキーボード等の操作デバイス用のインタフェースである操作部４とを含む。
【００１６】
ＣＰＵ部２は、ＣＰＵ、ＲＯＭ、およびＲＡＭ等を有している。ＣＰＵ部２は、記憶装置３やＲＯＭ等に格納されている表示制御プログラムを実行することで、画像一覧画面表示手段１１（特許請求の範囲の画面表示手段に該当）と、画面スクロール手段１２と、スクロール制御手段１３とを含む表示制御装置１０として機能する。
【００１７】
ここでは、ＰＣ１からインターネットＮを介して音楽ＣＤの販売を行うウェブサイトＳにアクセスし、多数のＣＤのジャケット画像が表示装置２０に表示される例について説明する。音楽ＣＤの販売を行うウェブサイトＳは、ユーザからアクセスがあると、上記表示制御プログラムをＰＣ１に送信すると共に、多数のジャケット画像のデータを送信する。
【００１８】
図２は、本発明の実施形態を説明するための表示制御装置の動作フローを示す図である。図３は、本発明の実施形態を説明するための表示制御装置の制御によって表示装置に表示される画面の一例を示す図である。
ウェブサイトＳから送信されてきた表示制御プログラムをＣＰＵ部２が実行すると、まず、画像一覧画面表示手段１１が、多数のジャケット画像のデータから画像一覧画面を生成して、図３（ａ）に示すように、表示装置２０に画像一覧画面を表示させる（Ｓ１１）。この画面には図３に示すように画面をスクロールさせるためのスクロールバーも併せて表示される。
【００１９】
図３（ａ）の例では、画像一覧画面の先頭部分である複数個（１２個）のジャケット画像が表示されている。そして、ユーザが操作部４を介して、画像一覧画面上で所望の音楽ＣＤのタイトル等を入力し、購入したい音楽ＣＤの指定を行う、即ち、その音楽ＣＤのジャケット画像（ここでは図３に示す画像６７（特許請求の範囲の指定画像に該当）とする）の指定を行う（Ｓ１２）。
【００２０】
画面スクロール手段１２は、この操作に応じて、画像６７の少なくとも一部を含む画面が表示装置２０に表示されているか否かをチェックし（Ｓ１３）、該画面が表示されていた場合（Ｓ１３：ＹＥＳ）には、表示装置２０に表示されている画面をスクロールさせない。そして、この場合、画像一覧画面表示手段１１が、その画面上において画像６７にマーク等を付して表示させて処理を終了する。一方、該画面が表示されていない場合（Ｓ１３：ＮＯ）、画面スクロール手段１２は、図３（ｂ）に示すように、画像一覧画面をその先頭部から末尾部へ向って所定の速度で自動的にスクロールさせる自動スクロールを開始する（Ｓ１４）。
【００２１】
自動スクロールが開始されると、スクロール制御手段１３が、画像６７の少なくとも一部を含む画面が表示装置２０に表示されているか否かをチェックし（Ｓ１５）、該画面が表示された場合（Ｓ１５：ＹＥＳ）に、スクロールの速度を上記所定の速度よりも遅くする制御を行う（Ｓ１６）。そして、画像一覧画面表示手段１１が、該画面上において画像６７にマーク等を付して表示させて処理を終了する。
【００２２】
なお、Ｓ１６において、スクロール制御手段１３は、画像６７の少なくとも一部を含む画面が表示された場合にスクロールを停止させてもよい。また、スクロールを停止した後に、ユーザが操作部４からスクロールバーを操作してスクロール指示を行った場合は、画面スクロール手段１２が自動スクロールを再開するようにしても良い。また、ユーザから指定された画像が複数あり、その画像がまだ全部表示されていない場合には、スクロールを停止させて所定時間経過後に、画面スクロール手段１２が自動スクロールを再開するようにしてもよい。
【００２３】
これにより、ユーザは、多数のジャケット画像を自動スクロールによって流し見ることができるとともに、指定したジャケット画像が表示されるときはスクロール速度が低下したり、スクロールが停止したりするため、所望のジャケット画像をじっくりと見ることができる。また、販売を行うウェブサイトにとっては、購入を希望する音楽ＣＤ以外のジャケット画像もユーザに見てもらうことができるため、売り上げの増加等が期待できる。
【００２４】
なお、上記ではスクロールが自動的に行われるものとしたが、これを手動操作によって行うようにしても良い。
図４は、本発明の実施形態を説明するための表示制御装置の動作フローの変形例を示す図である。図４において図３と同じフローには同一符号を付してある。
Ｓ１２の後、ユーザによってスクロールバーを動かす操作が操作部４を介して行われると（Ｓ２１）、画面スクロール手段１２は、この操作に応じて、この操作が行われている間、画像一覧画面を図３（ｂ）に示すように所定の速度でスクロールさせる（Ｓ２２）。スクロールが行われている間、スクロール制御手段１３は、画像６７の少なくとも一部を含む画面が表示装置２０に表示されているか否かをチェックし（Ｓ２３）、該画面が表示された場合（Ｓ２３：ＹＥＳ）には、スクロールの速度を上記所定の速度よりも遅くする制御を行う（Ｓ１６）。
【００２５】
なお、上記では、ユーザが指定した画像６７を含む画面が表示された場合に、スクロール速度を遅くしたり、スクロールを停止させたりしているが、販売を行うウェブサイトＳ側が指定した画像を含む画面が表示された場合に、スクロール速度を遅くしたり、スクロールを停止させたりすることも可能である。例えば、ユーザが好みの音楽ジャンルを指定すると、販売を行うウェブサイトＳは指定された音楽ジャンルに属する複数の音楽ＣＤのジャケット画像をユーザ側へ供給するとともに、１または複数の音楽ＣＤのジャケット画像を予め指定しておく。そして、指定した音楽ＣＤのジャケット画像を含む画面が表示装置２０に表示された場合には、手動又は自動スクロールの速度を遅くしたり、該スクロールを停止させたりして、おすすめの画像をより長い時間に亘って画面に表示させるようにすれば良い。また、おすすめのジャケット画像には、その旨をユーザに通知できるようなマークやコメント等を付けて表示させておくと良い。
【００２６】
また、本実施形態では、ＣＤの販売サイトから供給されるジャケット画像を表示する場合の表示制御について説明したが、本発明は、例えば、ＰＣ１の記憶装置３内に格納されている多数の写真画像データの中から１または複数の写真画像データを検索して表示する場合にも適用できる。
【図面の簡単な説明】
【００２７】
【図１】本発明の実施形態を説明するための表示制御装置の概略構成を示す図
【図２】本発明の実施形態を説明するための表示制御装置の動作フローを示す図
【図３】本発明の実施形態を説明するための表示制御装置によって表示装置に表示される画面の一例を示す図
【図４】本発明の実施形態を説明するための表示制御装置の動作フローの変形例を示す図
【図５】画像検索装置の動作の一例を示す図
【符号の説明】
【００２８】
１  ＰＣ（パーソナルコンピュータ）
２  ＣＰＵ部
３  記憶装置
４  操作部
１０  表示制御装置
１１  画像一覧画面表示手段
１２  画面スクロール手段
１３  スクロール制御手段
２０  表示装置
【図１】
2006236286.tif 000003
【図２】
2006236286.tif 000004
【図３】
2006236286.tif 000005
【図４】
2006236286.tif 000006
【図５】
2006236286.tif 000007